(57)【特許請求の範囲】
【請求項１】
巻芯部ならびに前記巻芯部の各端部にそれぞれ設けられた第１および第２の鍔部を有するコアと、
前記巻芯部上において螺旋状に巻回された第１および第２の巻線と、
前記第１の巻線の一方端および他方端がそれぞれ接続された第１および第２の端子電極と、
前記第２の巻線の一方端および他方端がそれぞれ接続された第３および第４の端子電極と、
を備え、
前記第１および第２の巻線は、互いに同じ方向に巻回され、
前記第１ないし第４の端子電極は、前記コアの、実装基板側に向けられる実装面上に仮想の四角形を描いたとき、当該四角形の４つの頂点位置にそれぞれ位置しながら、前記第１および第３の端子電極は、前記第１の鍔部側に位置し、かつ、前記第２および第４の端子電極は、前記第２の鍔部側に位置するとともに、前記第１の端子電極と前記第２の端子電極とは対角線方向に対向し、かつ、前記第３の端子電極と前記第４の端子電極とは対角線方向に対向するように配置されていて、
前記第１および第３の端子電極は、前記第１の鍔部の、前記実装面側の面から反対側の面にまで延びるように設けられ、
前記第１の巻線は、その一方端が前記反対側の面にまで引き出された状態で前記第１の端子電極に接続され、その他方端が前記実装面にまで引き出された状態で前記第２の端子電極に接続され、
前記第２の巻線は、その一方端が前記反対側の面にまで引き出された状態で前記第３の端子電極に接続され、その他方端が前記実装面にまで引き出された状態で前記第４の端子電極に接続されている、
巻線型チップトランス。
【請求項２】
巻芯部ならびに前記巻芯部の各端部にそれぞれ設けられた第１および第２の鍔部を有するコアと、
前記巻芯部上において螺旋状に巻回された第１および第２の巻線と、
前記第１の巻線の一方端および他方端がそれぞれ接続された第１および第２の端子電極と、
前記第２の巻線の一方端および他方端がそれぞれ接続された第３および第４の端子電極と、
を備え、
前記第１および第２の巻線は、互いに同じ方向に巻回され、
前記第１ないし第４の端子電極は、前記コアの、実装基板側に向けられる実装面上に仮想の四角形を描いたとき、当該四角形の４つの頂点位置にそれぞれ位置しながら、前記第１および第３の端子電極は、前記第１の鍔部側に位置し、かつ、前記第２および第４の端子電極は、前記第２の鍔部側に位置するとともに、前記第１の端子電極と前記第２の端子電極とは対角線方向に対向し、かつ、前記第３の端子電極と前記第４の端子電極とは対角線方向に対向するように配置されていて、
前記第１の巻線と前記第２の巻線とは、互いに同じ長さであり、
前記第１および第２の巻線の一方は、前記巻芯部上において、折返しを形成したたるみ部分を有する、巻線型チップトランス。
【請求項３】
前記第１の巻線の一方端および他方端ならびに前記第２の巻線の一方端および他方端は、前記実装面にまで引き出された状態で、それぞれ、前記第１ないし第４の端子電極に接続され、
前記第１の巻線と前記第２の巻線とは、前記巻芯部上において１回交差する以外は並んで巻回されている、
請求項２に記載の巻線型チップトランス。
【請求項４】
前記第１および第３の端子電極は、前記第１の鍔部の、前記実装面側の面から反対側の面にまで延びるように設けられ、
前記第１の巻線は、その一方端が前記反対側の面にまで引き出された状態で前記第１の端子電極に接続され、その他方端が前記実装面にまで引き出された状態で前記第２の端子電極に接続され、
前記第２の巻線は、その一方端が前記反対側の面にまで引き出された状態で前記第３の端子電極に接続され、その他方端が前記実装面にまで引き出された状態で前記第４の端子電極に接続されている、
請求項２に記載の巻線型チップトランス。
【請求項５】
高周波信号を少なくとも２つに分ける分配器に備える分配用のトランスとして用いられる、請求項１ないし４のいずれかに記載の巻線型チップトランス。
【請求項６】
請求項１ないし４のいずれかに記載の巻線型チップトランスを備え、
前記第１および第４の端子電極を共通接続して入力端とし、前記第２および第３の端子電極を、それぞれ、第１および第２の出力端とする、
分配器。
【発明の詳細な説明】
【技術分野】
【０００１】
この発明は、巻線型チップトランスおよび分配器に関するもので、特に、製造作業における能率性を向上させることができる巻線型チップトランスおよびそれを用いて構成される分配器に関するものである。
【背景技術】
【０００２】
この発明にとって興味ある技術として、たとえば特開昭６２−１４７８０６号公報（特許文献１）には、放送受信用のアンテナからの伝送線路を複数の伝送線路に分配するための分配器が記載されている。図８には、特許文献１に記載された分配器の主要部が回路図で示されている。
【０００３】
図８に示した分配器１は、１入力・２出力の分配器であって、１つの入力端ＴＩと２つの出力端ＴＯ１およびＴＯ２とを備えている。入力端ＴＩと出力端ＴＯ１およびＴＯ２との間には、分配用のトランス２が接続されている。トランス２は、磁気的に結合された第１および第２のコイル３および４を備える。第１および第２のコイル３および４の巻き数比は、ほぼ１：１とされる。
【０００４】
第１のコイル３の一方端および他方端には、それぞれ、第１および第２の端子電極５および６が設けられる。他方、第２のコイル４の一方端および他方端には、それぞれ、第３および第４の端子電極７および８が設けられる。入力端ＴＩから見て互いに逆相となる電流が第１および第２のコイル３および４にそれぞれ流れるように、入力端ＴＩは第１および第４の端子電極５および８に共通接続され、出力端ＴＯ１およびＴＯ２は、それぞれ、第３および第２の端子電極７および６に接続される。
【０００５】
また、図８に示した分配器１では、第３および第２の端子電極７および６間、すなわち、出力端ＴＯ１およびＴＯ２間には、帰還抵抗９とインダクタンス要素１０との直列回路が挿入されている。なお、帰還抵抗９とインダクタンス要素１０との直列回路は、図示しないが、たとえば、フェライトビーズに巻線を巻回して得られたコイルによって等価的に与えられる。
【先行技術文献】
【特許文献】
【０００６】
【特許文献１】特開昭６２−１４７８０６号公報
【発明の概要】
【発明が解決しようとする課題】
【０００７】
分配器１において、トランス２は、通常、コアに備える巻芯部上に、第１および第２のコイル３および４となる第１および第２の巻線を螺旋状に巻回してなる構成とされる。この場合、分配器１をたとえばＧＨｚ帯といった高周波領域においても動作可能とするには、第１および第２の巻線を互いにできるだけ近接させて配置し、それによって、第１および第２のコイル間の磁界結合を高めることが重要である。
【０００８】
図９には、この発明をなすに至る途中で、図８の分配器１に備えるトランス２として、発明者によって提案されたトランスの構成例が示されている。図９に示したトランス１１は、巻線型チップトランスであり、コア１２と、第１および第２のコイルとなる第１および第２の巻線１３および１４とを備えている。巻線１３および１４は、たとえば、絶縁被覆された銅線から構成される。図面上、第１および第２の巻線１３および１４間の区別をより明確にするため、第１の巻線１３は黒塗りの太線で示され、第２の巻線１４は白抜きの太線で示されている。なお、このような巻線の図面上の区別は、後述する他の図面においても採用されている。
【０００９】
コア１２は、巻芯部１５ならびに巻芯部１５の各端部にそれぞれ設けられた第１および第２の鍔部１６および１７を有する。前述した第１および第２の巻線１３および１４は、巻芯部１５上において螺旋状に巻回される。ここで、巻線型のトランスの製造の一層の簡素化および能率化、ひいては低廉化を追求したとき、第１および第２の巻線１３および１４は、同時に巻回されるのが最良であり、そのため、２つの巻線１３および１４は、巻芯部１５上で互いに同じ方向で巻回されることになる。
【００１０】
上述した巻回方法を採用すると、第１および第２の巻線１３および１４は自然と並んで巻回される。このことは、第１および第２の巻線１３および１４を互いにできるだけ近接させて配置することを可能にし、結果として、第１および第２のコイル間の磁界結合を高めることができる。
【００１１】
なお、図９では、第１および第２の巻線１３および１４の各々をより明瞭に図示するため、第１および第２の巻線１３および１４間に隙間が設けられているが、実際には、必要に応じて、第１および第２の巻線１３および１４は互いに接するように巻回される。
【００１２】
第１の巻線１３の一方端および他方端は、それぞれ、第１および第２の端子電極１８および１９に接続される。他方、第２の巻線１４の一方端および他方端は、それぞれ、第３および第４の端子電極２０および２１に接続される。なお、第１ないし第４の端子電極１８〜２１は、コア１２の、図示しない実装基板側に向けられる実装面２２上に設けられている。
【００１３】
ここで、第１の巻線１３の長さと第２の巻線１４の長さとが互いに同じであるとすれば、以下のように、第１ないし第４の端子電極１８〜２１が配置されるのが自然である。
【００１４】
まず、第１および第３の端子電極１８および２０が第１の鍔部１６側に位置するとき、第２および第４の端子電極１９および２１が第２の鍔部１７側に位置することは必然である。そして、上述のように、第１の巻線１３の長さと第２の巻線１４の長さとが互いに同じであるならば、コア１２の中心軸線の一方側で、第１の端子電極１８と第２の端子電極１９とが並び、コア１２の中心軸線の他方側で、第３の端子電極２０と第４の端子電極２１とが並ぶことになる。
【００１５】
上述の図９に示したトランス１１を、図８に示した分配器１に備えるトランス２として適用したとき、図９に示した第１ないし第４の端子電極１８〜２１は、それぞれ、図８における第１ないし第４の端子電極５〜８に対応する。そして、図８に示すような接続態様を採用すれば、入力端ＴＩから見て互いに逆相となる電流が第１および第２のコイル３および４にそれぞれ流れるようになり、図９のトランス１１について言えば、互いに逆相の電流が第１および第２の巻線１３および１４にそれぞれ流れるようになる。
【００１６】
図８に示した分配器１を構成するにあたっては、通常、トランス２がチップ部品の形態で提供され、このトランス２が図示しない実装基板上に実装される。このとき、トランス２の第１ないし第４の端子電極５〜８が実装基板上の対応の導電ランドに電気的に接続される。トランス２の第１ないし第４の端子電極５〜８の各々と入力端ＴＩならびに出力端ＴＯ１およびＴＯ２の各々とを結ぶ配線は、実装基板に設けられた導体パターン等によって与えられる。
【００１７】
ここで注目すべきは、図８を参照すればわかるように、トランス２を実装する実装基板において、端子電極５と入力端ＴＩとを結ぶ配線の長さと、端子電極８と入力端ＴＩとを結ぶ配線の長さと、が互いに異なり、また、端子電極７と出力端ＴＯ１とを結ぶ配線の長さと、端子電極６と出力端ＴＯ２とを結ぶ配線の長さと、が互いに異なってしまうことである。また、端子電極８と入力端ＴＩとを結ぶ配線と、端子電極６と出力端ＴＯ２とを結ぶ配線とは、交差点ＣＲにおいて互いに交差させなければならないほどに複雑な引き回し形状とならざるを得ない。
【００１８】
上述のような配線の長さの差および交差点ＣＲの存在は、配線形状の対称性を阻害するため、分配器の高周波特性の劣化をもたらす。また、交差点ＣＲを構成する２つの配線は、実装基板を構成するセラミック等の比較的高い誘電率を有する絶縁材料を介在させて位置することになるので、２つの配線の間に比較的大きな浮遊容量を生じさせることがある。また、浮遊容量は、配線の引き回し形状が複雑となった結果としてもたらされることもある。さらに、交差点ＣＲの形成には、実装基板において、ビアホール導体のような立体的な配線を必要とするため、ビアホール導体によるインピーダンス不整合などの不都合を招くことがある。そして、これらのことも、また、分配器１の高周波特性の劣化につながる。
【００１９】
そこで、この発明の目的は、２つの巻線を同時に同じ方向で巻回して能率的に製造することができるとともに、分配器において適用されたとき、配線形状の対称性が阻害されないようにすることができ、また、不要な浮遊容量の発生を抑制し得る、巻線型チップトランスを提供しようとすることである。
【００２０】
この発明の他の目的は、上述した巻線型チップトランスを用いて構成される、分配器を提供しようとすることである。
【課題を解決するための手段】
【００２１】
この発明は、巻芯部ならびに巻芯部の各端部にそれぞれ設けられた第１および第２の鍔部を有するコアと、巻芯部上において螺旋状に巻回された第１および第２の巻線と、第１の巻線の一方端および他方端がそれぞれ接続された第１および第２の端子電極と、第２の巻線の一方端および他方端がそれぞれ接続された第３および第４の端子電極と、を備える、巻線型チップトランスに向けられるものであって、上述した技術的課題を解決するため、次のような構成を備えることを特徴としている。
【００２２】
まず、第１および第２の巻線は、互いに同じ方向に巻回される。これにより、２つの巻線を同時に同じ方向で能率的に巻回することができる。
【００２３】
また、上述した第１ないし第４の端子電極は、コアの、実装基板側に向けられる実装面上に仮想の四角形を描いたとき、当該四角形の４つの頂点位置にそれぞれ位置しながら、第１および第３の端子電極は、第１の鍔部側に位置し、かつ、第２および第４の端子電極は、第２の鍔部側に位置するとともに、第１の端子電極と第２の端子電極とは対角線方向に対向し、かつ、第３の端子電極と第４の端子電極とは対角線方向に対向するように配置されている。
【００２４】
第１ないし第４の端子電極の上述したような配置は、巻線型チップトランスが分配器において適用されたとき、配線形状の対称性を保証するとともに、実装基板での２つの配線の交差、さらには配線の複雑化を避けることを可能にする。
以上が、この発明の第１の局面および第２の局面に共通する特徴的構成である。
【００２６】
この発明の第１の局面に係る巻線型チップトランスにおいては、第１および第３の端子電極が、第１の鍔部の、実装面側の面から反対側の面にまで延びるように設けられることをさらなる特徴としている。この場合、第１の巻線は、その一方端が反対側の面にまで引き出された状態で第１の端子電極に接続され、その他方端が実装面にまで引き出された状態で第２の端子電極に接続され、他方、第２の巻線は、その一方端が反対側の面にまで引き出された状態で第３の端子電極に接続され、その他方端が実装面にまで引き出された状態で第４の端子電極に接続される。
【００２７】
上記の構成によれば、巻芯部上において、２つの巻線を交差させる必要がない。
【００２８】
この発明の第２の局面に係る巻線型チップトランスにおいては、第１の巻線と第２の巻線とは、互いに同じ長さであることをさらなる特徴としている。この構成によれば、巻線の対称性が向上するため、使用帯域内での特性を良好なものとすることができる。
【００２９】
上述したように、第１の巻線と第２の巻線とを互いに同じ長さとしたとき、端子電極への引出し位置の関係上、第１および第２の巻線の一方は、巻芯部上において、折返しを形成したたるみ部分を有することになる。
この発明の第２の局面では、以下の２つの態様があり得る。
第１の態様では、第１の巻線の一方端および他方端ならびに第２の巻線の一方端および他方端が、実装面にまで引き出された状態で、それぞれ、第１ないし第４の端子電極に接続されるとき、第１の巻線と第２の巻線とは、巻芯部上において１回交差する以外は並んで巻回される。この交差は、巻線における巻回の始端もしくは終端近傍で生じさせても、巻回の中間部で生じさせてもよい。
第２の態様では、前述した第１の局面におけるさらなる特徴的構成と同様、第１および第３の端子電極が、第１の鍔部の、実装面側の面から反対側の面にまで延びるように設けられる。この場合、第１の巻線は、その一方端が反対側の面にまで引き出された状態で第１の端子電極に接続され、その他方端が実装面にまで引き出された状態で第２の端子電極に接続され、他方、第２の巻線は、その一方端が反対側の面にまで引き出された状態で第３の端子電極に接続され、その他方端が実装面にまで引き出された状態で第４の端子電極に接続される。
【００３０】
この発明に係る巻線型チップトランスは、高周波信号を少なくとも２つに分ける分配器に備える分配用のトランスとして有利に用いられる。
【００３１】
この発明は、また、巻線型チップトランスを用いて構成される分配器にも向けられる。この発明に係る分配器は、上述したような巻線型チップトランスを備え、第１および第４の端子電極を共通接続して入力端とし、第２および第３の端子電極を、それぞれ、第１および第２の出力端とすることを特徴としている。
【発明の効果】
【００３２】
この発明に係る巻線型チップトランスによれば、第１および第２の巻線が互いに同じ方向に巻回されるので、２つの巻線を同時に同じ方向で能率的に巻回することができる。したがって、トランスを安価に得ることができる。
【００３３】
また、この発明に係る巻線型チップトランスによれば、誘電体セラミックまたは磁性体セラミックからなる積層体の層間に、スパイラル形状のコイル導体を配置してなるコイルを備える積層構造のトランスに比べて、２つの巻線間には、誘電率の比較的低い空気が存在するのみであるのが通常であるから、深刻な浮遊容量をもたらすことはない。
【００３４】
また、この発明に係る巻線型チップトランスによれば、これを分配器に適用したとき、コアの中心軸線の一方側に位置する第１および第４の端子電極を共通接続して入力端とし、第２および第３の端子電極を、それぞれ、第１および第２の出力端とする配線形状を採用することができるので、配線を対称形状とすることができるとともに、実装基板において配線を交差させるといった比較的複雑な配線の引き回しを採用する必要がない。これらのことは、配線に起因する分配器の高周波特性の劣化を避けることを可能にし、また、不要な浮遊容量の発生を抑制し得ることにつながる。
【図面の簡単な説明】
【００３５】
【図１】この発明の第１の実施形態による巻線型チップトランス３１の外観を示す斜視図であり、実装基板側に向けられる実装面４２を上面にして図示している。
【図２】図１に示した巻線型チップトランス３１の実装面４２を示す底面図である。
【図３】図１および図２に示した巻線型チップトランス３１を用いて構成された分配器５１の回路図である。
【図４】この発明の第２の実施形態による巻線型チップトランス３１ａの実装面４２を示す底面図である。
【図５】この発明の第３の実施形態による巻線型チップトランス３１ｂの外観を示す斜視図であり、実装基板側に向けられる実装面４２を上面にして図示している。
【図６】図５に示した巻線型チップトランス３１ｂを矢印Ａ方向から見た平面図である。
【図７】この発明の第４の実施形態による巻線型チップトランス３１ｃの実装面４２を示す底面図である。
【図８】特許文献１に記載された分配器１の主要部を示す回路図である。
【図９】この発明をなすに至る途中で、図８の分配器１に備えるトランス２として、発明者によって提案された巻線型チップトランス１１の実装面２２を示す底面図である。
【発明を実施するための形態】
【００３６】
図１および図２を参照して、この発明の第１の実施形態による巻線型チップトランス３１について説明する。
【００３７】
巻線型チップトランス（以下、「トランス」と略称することがある。）３１は、コア３２と、第１および第２のコイルをそれぞれ与える第１および第２の巻線３３および３４とを備えている。コア３２は、フェライト等の磁性体または絶縁体セラミック等の非磁性体からなり、全体として四角柱形状をなしている。巻線３３および３４は、たとえば、絶縁被覆された銅線から構成される。
【００３８】
コア３２は、巻芯部３５ならびに巻芯部３５の各端部にそれぞれ設けられた第１および第２の鍔部３６および３７を有する。第１および第２の巻線３３および３４は、巻芯部３５上において互いに同じ方向に螺旋状に巻回される。したがって、トランス３１の製造にあたって、第１および第２の巻線３３および３４は、同時に巻回されることができる。
【００３９】
上述した巻回の結果、第１および第２の巻線３３および３４は、自然と並んだ状態となり、かつ互いに近接して配置されることができる。このことは、第１および第２のコイル間の磁界結合を高めることに寄与する。
【００４０】
なお、図１および図２では、第１および第２の巻線３３および３４の各々をより明瞭に図示するため、第１および第２の巻線３３および３４間に隙間が設けられているが、実際には、第１および第２のコイル間の磁界結合を高めるため、第１および第２の巻線３３および３４は互いに接するように巻回されることが好ましい。
【００４１】
なお、巻線型チップトランス３１は、誘電体セラミックまたは磁性体セラミックからなる積層体の層間に、スパイラル形状のコイル導体を配置してなるコイルを備える積層構造のトランスとは異なり、２つの巻線３３および３４間には、誘電率の比較的低い空気が存在するのみであるので、上述のように、磁界結合を高めるために、２つの巻線３３および３４を互いに近接させても、深刻な浮遊容量をもたらすことはない。
【００４２】
以上の構成は、図９に示したトランス１１の場合と同様である。図９に示したトランス１１の場合と大きく異なるのは、第１ないし第４の端子電極３８〜４１の配置である。なお、端子電極３８〜４１は、導電性ペーストの焼付け、導電性金属のめっき等によって形成される。
【００４３】
第１の巻線３３の一方端および他方端は、図示しない実装基板側に向けられる実装面４２にまで引き出された状態で、それぞれ、第１および第２の端子電極３８および３９に接続される。他方、第２の巻線３４の一方端および他方端は、実装面４２にまで引き出された状態で、それぞれ、第３および第４の端子電極４０および４１に接続される。ここで、第１ないし第４の端子電極３８〜４１は、コア３２の、実装面４２上に仮想の四角形を描いたとき、当該四角形の４つの頂点位置にそれぞれ位置しながら、第１および第３の端子電極３８および４０は、第１の鍔部３６側に位置し、かつ、第２および第４の端子電極３９および４１は、第２の鍔部３７側に位置している。そして、第１の端子電極３８と第２の端子電極３９とは対角線方向に対向し、かつ第３の端子電極４０と第４の端子電極４１とは対角線方向に対向するように配置されている。
【００４４】
なお、図示の実施形態では、第１ないし第４の端子電極３８〜４１は、実装面４２の４つの角にそれぞれ位置している。したがって、上述の仮想の四角形は実装面４２全体にわたって描かれるものである。しかしながら、仮想の四角形は、実装面４２の一部の領域に描かれるもの、言い換えると、第１ないし第４の端子電極３８〜４１の少なくとも１つが実装面４２の角より内側の位置に位置してもよい。また、仮想の四角形は、長方形や正方形のように、すべての角が直角の四角形、すなわち矩形に限らず、直角以外の角を持つ四角形であってもよい。
【００４５】
上述した端子電極３８〜４１の配置の結果、第１および第２の巻線３３および３４の巻回の始端または終端には、巻芯部３５上において１回交差する交差部分４３（特に図２において、よく示されている。）が形成される。
【００４６】
以上説明したトランス３１は、図３に示した分配器５１において、分配用のトランスとして用いられる。図３において、図１または図２に示した要素に相当する要素には同様の参照符号を付し、重複する説明を省略する。
【００４７】
図３を参照して、分配器５１は、図８に示した分配器１と同様、１入力・２出力の分配器であって、１つの入力端ＴＩと２つの出力端ＴＯ１およびＴＯ２とを備えている。入力端ＴＩと出力端ＴＯ１およびＴＯ２との間には、上述した巻線型チップトランス３１が分配用のトランスとして接続されている。
【００４８】
図３において、トランス３１の第１ないし第４の端子電極３８〜４１は、図１および図２に示したものと同様の配置となっている。図３では、第１および第２の巻線３３および３４によってそれぞれ与えられる第１および第２のコイル５２および５３が図示されている。また、第１および第２の巻線３３および３４の巻回における交差部分４３も、図３において図示されている。
【００４９】
入力端ＴＩから見て互いに逆相となる電流が第１および第２のコイル５２および５３、すなわち第１および第２の巻線３３および３４にそれぞれ流れるように、入力端ＴＩは第１および第４の端子電極３８および４１に共通接続され、出力端ＴＯ１およびＴＯ２は、それぞれ、第３および第２の端子電極４０および３９に接続される。
【００５０】
また、図８に示した分配器１の場合と同様、第３および第２の端子電極４０および３９間、すなわち、出力端ＴＯ１およびＴＯ２間には、たとえば、フェライトビーズに巻線を巻回して得られたコイルによって等価的に与えられる、帰還抵抗５４とインダクタンス要素５５との直列回路が挿入されている。
【００５１】
以上説明した実施形態によれば、図３から明らかなように、分配器５１における、特に実装基板での配線を対称形状とすることができるとともに、実装基板において配線を交差させるといった複雑な配線の引き回しを採用する必要がない。これらのことは、分配器５１の高周波特性の向上および不要な浮遊容量の発生の抑制に寄与し得る。
【００５２】
次に、図４を参照して、この発明の第２の実施形態による巻線型チップトランス３１ａについて説明する。図４は、前述した図２に対応する図である。図４において、図２に示す要素に相当する要素には同様の参照符号を付し、重複する説明を省略する。
【００５３】
図４に示したトランス３１ａは、第１および第２の巻線３３および３４の交差部分４３ａを、巻回の中間部で生じさせていることを特徴としている。この実施形態には、第１および第２の巻線の交差部分は、巻芯部上のいずれの位置に形成されてもよいことを明示する意義がある。
【００５４】
次に、図５および図６を参照して、この発明の第３の実施形態による巻線型チップトランス３１ｂについて説明する。図５は、前述した図１に対応する図である。図６は、図５のトランス３１ｂの、前述した図２に示した面とは反対側の面を示す、すなわち、図５の矢印Ａ方向から見た平面図である。図５および図６において、図１または図２に示す要素に相当する要素には同様の参照符号を付し、重複する説明を省略する。
【００５５】
図５および図６に示したトランス３１ｂは、２つの巻線３３および３４が交差部分を持たず、以下のようにして、図３に示すような第１ないし第４の端子電極３８〜４１の配置を実現している。
【００５６】
第１および第３の端子電極３８および４０は、ともに、第１の鍔部３６の、実装面４２側の面から反対側の面４５にまで延びるように設けられている。そして、第１の巻線３３は、その一方端については、図６に示すように、反対側の面４５にまで引き出された状態で第１の端子電極３８に接続されるが、その他方端は、図５に示すように、実装面４２にまで引き出された状態で第２の端子電極３９に接続される。他方、第２の巻線３４は、図６に示すように、その一方端が反対側の面４５にまで引き出された状態で第３の端子電極４０に接続されるが、図５に示すように、その他方端が実装面４２にまで引き出された状態で第４の端子電極４１に接続されている。
【００５７】
上記の構成によれば、巻芯部３５上において、２つの巻線３３および３４を交差させる必要がない。また、前述したトランス３１および３１ａでは、第２の巻線３４の方が、第１の巻線３３よりも長くなるが、このトランス３１ｂでは、第１の巻線３３と第２の巻線３４とを互いに同じ長さとすることができる。このことは、対称性をより向上させ、よって、使用帯域内でのトランスの特性を良好なものとすることができる。
【００５８】
なお、図５および図６に示したトランス３１ｂでは、第２および第４の端子電極３９および４１についても、第２の鍔部３７の、実装面４２側の面から反対側の面４５にまで延びるように設けられている。このことは、コア３２における実装面４２と反対側の面４５との間で区別する必要性をなくし、よって、トランス３１ｂの実装にあたっての方向の自由度を増すことができる。
【００５９】
次に、図７を参照して、この発明の第４の実施形態による巻線型チップトランス３１ｃについて説明する。図７は、前述した図２に対応する図である。図７において、図２に示す要素に相当する要素には同様の参照符号を付し、重複する説明を省略する。
【００６０】
図７に示したトランス３１ｃは、第１の巻線３３と第２の巻線３４とを互いに同じ長さとした結果として、第１の巻線３３が、巻芯部３５上において、少なくとも１箇所、折返しを形成したたるみ部分４７を有することを特徴としている。このことは、図５および図６に示したトランス３１ｂの場合と同様、対称性をより向上させ、よって、使用帯域内でのトランスの特性を良好なものとすることができる。
【００６１】
以上、この発明を図示した実施形態に関連して説明したが、図示した各実施形態は、例示的なものであり、異なる実施形態間において、構成の部分的な置換または組み合わせが可能であることを指摘しておく。
【符号の説明】
【００６２】
３１，３１ａ，３１ｂ，３１ｃ  巻線型チップトランス
３２  コア
３３  第１の巻線
３４  第２の巻線
３５  巻芯部
３６  第１の鍔部
３７  第２の鍔部
３８  第１の端子電極
３９  第２の端子電極
４０  第３の端子電極
４１  第４の端子電極
４２  実装面
４３，４３ａ  交差部分
４５  反対側の面
４７  たるみ部分
５１  分配器
ＴＩ  入力端
ＴＯ１，ＴＯ２  出力端
【図１】
0006582463.tif 000002
【図２】
0006582463.tif 000003
【図３】
0006582463.tif 000004
【図４】
0006582463.tif 000005
【図５】
0006582463.tif 000006
【図６】
0006582463.tif 000007
【図７】
0006582463.tif 000008
【図８】
0006582463.tif 000009
【図９】
0006582463.tif 000010